(57)【要約】【課題】容器体内圧が上昇しても、収納物吸飲の際には簡単に減圧してノズルからの液の飛び出し等を防止でき、また、その取り扱いも便利であり、構造も簡単な飲料容器を提案する。【解決手段】容器体２の口部へノズル３付きキャップ本体４を嵌合させ、該本体上に蓋体５を開閉可能に設けた飲料容器であって、キャップ本体４の軸着部分に、蓋体５の開放時に容器体２内と外部とを連通させ、また、蓋体５の閉塞時に連通が遮断される通気路を設けた。【選択図】図１
2005289388.tif 000002
【特許請求の範囲】
【請求項１】
上端開口の容器体２と、該容器体口部へ嵌合させたノズル３付きキャップ本体４と、該キャップ本体４上に開閉可能に設けた蓋体５とを備え、前記蓋体５の前記キャップ本体４への軸着部分に、前記蓋体５の開放時に前記容器体２内と外部とを連通させ且つ前記蓋体５の閉塞時に連通が遮断される通気路Ｐを設けてなることを特徴とする吸飲容器。
【請求項２】
前記通気路Ｐが、前記キャップ本体４及び該本体上に横設した軸受43を貫通する第１透孔48と、前記軸受43に軸着した前記蓋体５の筒状の軸52の前記第１透孔48と所定離間位置を貫通する第２透孔55とで構成してなる請求項１記載の吸飲容器。
【請求項３】
前記第２透孔55が、前記軸52外周所定位置に周方向に沿って凹設した凹溝56部分に穿設してなる請求項２記載の吸飲容器。
【請求項４】
前記ノズル３を前記キャップ本体４上に上下動可能に突出するとともに、最下降状態ではその注出路が遮断され、引き上げた際に注出路が連通する如く構成した開閉機構を設けてなる請求項１記載の吸飲容器。
【請求項５】
前記容器体２に把手６を設けてなる請求項１記載の吸飲容器。
【請求項６】
前記容器体２内に垂下させた吸上げパイプ８を前記ノズル３と連通させて保持するとともに、前記容器体上端開口部に通気が可能な状態で掛け渡した連結部材９を設けてなる請求項１記載の吸飲容器。
【発明の詳細な説明】
【技術分野】
【０００１】
本発明は飲料容器、特に吸口付きの液体収納容器であって、幼児，高齢者，成人向けの流動食やミルク，紅茶，更には競技者向けのスポーツ飲料等を吸飲し易くした飲料容器に関する。
【背景技術】
【０００２】
この種容器として、容器体のキャップ頂壁に吸口部材を穿設させたもの（特許文献１）、及び、該文献１の容器と同様の構成に於いてその吸口部材から容器体内底部へストローを垂設したもの（特許文献２）が知られている。
【特許文献１】特開２００２−３２１７５５号公報
【特許文献２】特開２００２−３２１７５６号公報
【発明の開示】
【発明が解決しようとする課題】
【０００３】
上記特許文献２の容器は、吸口を有するから、容器体内の内容物を吸飲し易い反面、ミルクなどを加熱して収納した場合に容器体内の空気が高圧化するおそれがあり、そうなると蓋体を外した時に内容物が吸い出し口から溢れ出す可能性がある。
【０００４】
本発明は上記した点に鑑みてなされたもので、種々の原因で容器体内圧が上昇しても、収納物吸飲の際には簡単に減圧してノズルからの液の飛び出し等を防止でき、また、その取り扱いも便利であり、同時に減圧されて減圧処理を忘れることがなく、構造も簡単な飲料容器を提案するものである。
【課題を解決するための手段】
【０００５】
第１の手段として、上端開口の容器体２と、該容器体口部へ嵌合させたノズル３付きキャップ本体４と、該キャップ本体４上に開閉可能に設けた蓋体５とを備え、前記蓋体５の前記キャップ本体４への軸着部分に、前記蓋体５の開放時に前記容器体２内と外部とを連通させ且つ前記蓋体５の閉塞時に連通が遮断される通気路Ｐを設けてなることを特徴とする。
【０００６】
第２の手段として、前記第１の手段に於いて、前記通気路Ｐが、前記キャップ本体４及び該本体上に横設した軸受43を貫通する第１透孔48と、前記軸受43に軸着した前記蓋体５の筒状の軸52の前記第１透孔48と所定離間位置を貫通する第２透孔55とで構成した。
【０００７】
第３の手段として、前記第２の手段に於いて、前記第２透孔55が、前記軸52外周所定位置に周方向に沿って凹設した凹溝56部分に穿設した。
【０００８】
第４の手段として、前記第１の手段に於いて、前記ノズル３を前記キャップ本体４上に上下動可能に突出するとともに、最下降状態ではその注出路が遮断され、引き上げた際に注出路が連通する如く構成した開閉機構を設けた。
【０００９】
第５の手段として、前記第１の手段に於いて、前記容器体２に把手６を設けた。
【００１０】
第６の手段として、前記第１の手段に於いて、前記容器体２内に垂下させた吸上げパイプ８を前記ノズル３と連通させて保持するとともに、前記容器体上端開口部に通気が可能な状態て掛け渡した連結部材９を設けた。
【発明の効果】
【００１１】
本発明の飲料容器は、前記蓋体５のキャップ本体４への軸着部分に、蓋体５の開放時に容器体２内と外部とを連通させ且つ蓋体５の閉塞時に連通が遮断される通気路Ｐを設けているため、加熱した収納物や外気の温度変化等により容器体内圧が上昇しても、使用に当たり開蓋すれば通気路Ｐを介して容器体２内が減圧されてノズル３から液が飛び出す等の不都合はなく、また、通気路Ｐはキャップ本体の軸着部分に設けているため、開蓋してのノズル吸飲時などに邪魔にならない。
【００１２】
また、前記通気路Ｐが、前記キャップ本体４及び該本体上に横設した軸受43を貫通する第１透孔48と、前記軸受43に軸着した前記蓋体５の筒状の軸52の前記第１透孔48と所定間隔離間位置を貫通する第２透孔55とで構成したものは通気路Ｐが全くスペースをとらず邪魔にならない。
【００１３】
また、前記第２透孔55を、前記軸52外周所定位置に周方向に沿って凹設した凹溝56部分に穿設したものにあっては、第１透孔48及び第２透孔55の正確な位置合せを必要とせずに確実に通気路Ｐの連通，遮断の切り替えを行えるものである。
【００１４】
更に、前記ノズル３を前記キャップ本体４上に上下動可能に突出するとともに、最下降状態ではその注出路が遮断され、引き上げた際に注出路が連通する如く構成した開閉機構を設けたものにあっては、ノズル先端に着脱自在に栓を嵌着したもの等と比較してその取り扱い操作が容易である。                                                    
【００１５】
また、前記容器体２に把手６を設けたものにあっては、収納物が高温のものであっても持ち易い。
【００１６】
また、前記容器体２内に垂下させた吸上げパイプ８を前記ノズル３と連通させて保持するとともに、前記容器体上端開口部に通気が可能な状態て掛け渡した連結部材９を設けたものにあっては、容器使用後の分解，洗浄が容易であり、また、分解後の組み付け操作も容易で、取り扱い上きわめて便利となる。
【発明を実施するための最良の形態】
【００１７】
以下、本発明の実施例の形態を図面を参照して説明する。
【００１８】
本発明の飲料容器１は、容器体２と、ノズル３付きキャップ本体４と、蓋体５と、把手６とを備えている。
【００１９】
容器体２は、上端を開口したもので、図示例では底壁21周縁より周壁22を立設して有底円筒状をなし、周壁22の外周には把手を係止させるための突部23を突設している。
【００２０】
キャップ本体４は容器体２の口部へ嵌合させたもので、ノズル３を付設して容器体２内の収納液を吸飲できる如く構成している。図示例では、容器体２の周壁22外周に嵌合した装着筒41の上端より頂板42を延設している。頂板42は、前部が半円形の稜線を備えた傾斜面となる如く中央を山形に隆起し、傾斜面に円筒状に膨出させた膨出部42a を形成し、膨出部42a の中央にノズル３を突設させている。また、頂板42の後部上面には蓋体５を軸着する軸受43を設けている。そして、装着筒41を容器体２の周壁22外周上端部に螺着し、また、頂板42の下面周縁部と容器体２上面との間にパッキン７を介在させてこの部分に液密性を付与している。
【００２１】
ノズル３は容器体２内の収納液を吸飲するためのもので、前記頂板42上に突出しており、容器体２内に垂下した吸上げパイプ８と連通させている。また、ノズル３の注出路を開閉する開閉機構を設けている。図示例に於ける開閉機構は、頂板42上に上下動可能に突出し、最下降状態では注出路が遮断され、引き上げた際に注出路が連通する如く構成している。更に具体的には、膨出部42a 中央の頂板42に穿設した窓孔の周縁より支持筒44を立設し、該支持筒44の中央に放射状の連結片45で支持された棒栓部46を設けている。一方、ノズル３は支持筒44の内周に摺動可能に嵌合させた周壁3aの上端より、棒栓部46上面周縁部に密嵌したシール突条3bを延設し、更に、周壁3aの外周より外方へ延設したフランジを介して支持筒44外周に抜け出しを防止して上下動可能に嵌合させた外筒部3cを延設して構成している。そして、ノズル３を押し込んだ最下降状態ではシール突条3bが棒栓部46上面に密接してこの部分の液密性を維持し、また、ノズル３を引き上げると、シール突条3bが棒栓部46から外れて注出路が開口され、容器体内収納液が吸飲可能となる。また、ノズル３は吸飲し易いように前方へ傾斜させて突設している。
【００２２】
容器体２内には吸上げパイプ８をノズル３と連結し、また、パッキン７を周囲に装着して分解洗浄及び組み付け操作を容易ならしめる連結部材９を設けている。連結部材９は、皿状部91の偏心位置を筒状部92が貫通した形態をなし、皿状部91の周縁部にパッキン７を嵌着固定し、筒状部92の上端をキャップ本体４の前記窓孔周縁より垂設した嵌合筒47に密嵌し、筒状部92の内周に吸上げパイプ８の上端を嵌着し、下端を容器体２内下部に垂下させている。パッキン７は筒状部71上端よりフランジ部72を延設した断面横Ｌ字状をなす環状で、筒状部71を前記皿状部91外周に密嵌させ、フランジ部72の周縁部を容器体周壁22上面とキャップ本体頂板42周縁部との間に挟持させている。尚、皿状部91の底壁部分には上下を連通する連通孔93を穿設している。
【００２３】
蓋体５は、前記キャップ本体４上に開閉可能に設けている。図示例に於いて蓋体５は、ドーム状の本体部51と、該本体部51の後部より突設して前記軸受43に回動可能に軸着させた筒状の軸52とからなり、本体部51周縁を上記膨出部42a の外周に開閉可能に嵌合させている。図示例では、本体部51後部より突設した支持板53を介して軸52を連結しており、軸受43内に一方開口より嵌合させた軸52に、軸受43の他方開口より抜止め用の筒部材54を嵌着している。尚、57は蓋体５を開く際の摘みを示す。
【００２４】
本発明では、蓋体５の前記キャップ本体４への軸着部分に、前記蓋体５の開放時に前記容器体２内と外部とを連通させ、且つ、前記蓋体５の閉塞時に連通が遮断される通気路Ｐを設けている。この通気路Ｐは、使用前の容器体２内の圧力が高い場合に、ノズル３を開放する前に容器体２内を減圧するためのものである。
【００２５】
図示例に於いて通気路は、キャップ本体４及び該本体に凹設した軸受43を貫通する第１透孔48と、前記軸受43に軸着した蓋体５の筒状の軸52の前記第１透孔48と所定離間位置を貫通する第２透孔55とで構成している。前記所定離間位置は蓋体５の開蓋角度等を考慮して選択すれば良い。従って、この第１透孔48と、第２透孔55とは、蓋体５所定位置まで開らいた際に初めて両者は連通して通気路を形成し、容器体２内が通気路である第１透孔48及び第２透孔55を通って外部に連通する。それ以外の場合に第１透孔48が軸52により閉塞され、通気路は遮断された状態となり、容器体２内も外部と遮断される。
【００２６】
図示例では、軸52外周所定位置に周方向に沿って凹溝56を凹設し、この凹溝56部分に第２透孔55を穿設している。従って、通気路Ｐを連通させる場合の蓋体５の回動角度が幅広い領域となるとともに、凹溝56の深さ、幅等を調整することによりその断面積等の調整が可能である。
【００２７】
把手６は、前記突部23と係合する切込み61を端部に備えた円弧状板の取付板62の両側より把持部63を突設して構成している。取り外す際には、例えば、容器体２に対して前方へ引き出せば簡単に取り外すことかできる。尚、把手は具体的構成はこれに限らず、容器体と一体に形成したものであっても良い。
【００２８】
上記の如く構成した飲料容器１を使用する場合に付いて説明する。図６(a) の状態から摘み57を摘んで上方へ引き上げると本体部51が上方へ回動し、それに伴って図６(b) に示す如く、軸52が回動してその凹溝56の端部が第１透孔と連通する。この際、容器体２内が加圧状態にある場合には連通孔93及び通気路Ｐを介して減圧される。次いで、図６(c) に示す如く、蓋体５を最大幅開いた後、ノズル３を引き上げてその先端を開口し、この状態で収納液を吸飲することができる。収納液吸飲の際には前記通気路Ｐ及び前記連通孔93が、負圧化した容器体２内への外気導入孔の役割を果たす。使用後はノズル３を押下げてその上端開口を閉塞した後、蓋体５を閉じると再び軸52が回動して通気路Ｐが閉塞される。
【００２９】
尚、これまで述べてきた実施形態では、吸上げパイプ８により容器体２内の液を吸飲する形態のものを説明したが，吸上げパイプが無い場合も本発明の容器として適用される。例えば、図１の実施例に於いて吸上げパイプ８及び連結部材９を除いたものが挙げられる。この場合には、容器体２を傾けてノズルより液を吸飲することとなる。また、上記各部材は合成樹脂等により形成することができる。
【図面の簡単な説明】
【００３０】
【図１】本発明飲料容器の縦断面図である。（実施例１）
【図２】本発明飲料容器の蓋体軸着部の要部分解斜視図である。（実施例１）
【図３】本発明飲料容器の平面図である。（実施例１）
【図４】本発明飲料容器の側面図である。（実施例１）
【図５】本発明飲料容器の把手の正面図である。（実施例１）
【図６】本発明飲料容器の作用を説明する説明図である。（実施例１）
【符号の説明】
【００３１】
２…容器体，３…ノズル，４…キャップ本体，５…蓋体，43…軸受，48…第１透孔，
52…軸，55…第２透孔，56…凹溝，Ｐ…通気路
【図１】
2005289388.tif 000003
【図２】
2005289388.tif 000004
【図３】
2005289388.tif 000005
【図４】
2005289388.tif 000006
【図５】
2005289388.tif 000007
【図６】
2005289388.tif 000008